(57)【要約】      （修正有）【課題】異性間または同性間の性の相性マッチングのための適合指標を得るために、性器にまつわるデータ取得を目的とした製品を提供する。【解決手段】性器の形状や温湿度、性的興奮を引き起こす動作パターンやオーガズムまでの時間等のデータ検出が可能な各種センサーを具備した自慰用具様器具（オナホール、ディルドー）より検出したデータを元に、異性間または同性間を性的指標よりマッチングさせる事により、従前のマッチングサービスでは実現できなかった、性の相性によるマッチングを行う。【選択図】図５
2020081182.tif 000002
【特許請求の範囲】
【請求項１】
各種センサーを搭載し性器の形状等のデータを取得できる事を特徴とした自慰用具様装置および、それらを活用した性の相性判定システム
【請求項２】
請求項１において、男性器の様々なデータを取得できる装置
【請求項３】
請求項２において、男性向け自慰用具（オナホール等）の形状をしたもの
【請求項４】
請求項２において、性器データ取得に必要な各種センサーあるいはデータ転送インターフェースを具備したもの
【請求項５】
請求項１において、女性器の様々なデータを取得できる装置
【請求項６】
請求項５において、女性向け自慰用具（ディルドー等）の形状をしたもの
【請求項７】
請求項５において、性器データ取得に必要な各種センサーあるいはデータ転送インターフェースを具備したもの
【請求項８】
請求項１において、相性判定を行うためのアルゴリズムおよびアプリケーション、システム
【発明の詳細な説明】
【技術分野】
【０００１】
この発明は、  以下に示す各センサーおよびデータ転送インターフェースを具備する器具により、男性器および女性器の形状もしくは温湿度、性的興奮を引き起こす動作パターン、オーガズムに至るまでの時間等を数値化、データベース等の電子情報として蓄積し、そのデータ情報を元にした性器の適合度を指標に、異性間または同性間の出会い、性交渉、結婚等のマッチングに活用できる器具およびシステムである。当発明は、次の三種の発明により成る。各種センサーおよびデータ転送インターフェースを具備した男性向け自慰用具様（オナホール）器具（第一発明）、各種センサーおよびデータ転送インターフェースを具備した女性向け自慰用具様（ディルドー）器具（第二発明）、前二者より転送された各種データを受信する製品（スマートフォン、PC等）における処理およびマッチングを行うアルゴリズムおよびシステム、アプリケーション（第三発明）
センサー：圧力センサー、温湿度センサー、加速度センサー、等
データ転送インターフェース：Bluetooth（登録商標）、赤外線、USB有線接続、イーサネット（登録商標）有線接続、等
【背景技術】
【０００２】
婚活を始めとした従来のマッチングアプリ等のサービスでは、適合指標として、顔写真、年齢、年収、趣味嗜好等のデータを設定しているが、異性間または同性間の、性器形状等の物理的性的情報等、性の相性マッチングを指標とした項目は存在していない。
また、オナホール、ディルドーをはじめとした従来の自慰用具では、その性的充足感を満たす事を目的とした製品が主であり、性器そのものの形状や温湿度、性的興奮を引き起こす動作パターンやオーガズムまでの時間等のデータ取得を目的とした製品は存在していない。
【先行技術文献】
【特許文献】
【０００３】
【特許文献１】実登３０９８４７９号公報
【発明の概要】
【発明が解決しようとする課題】
【０００４】
しかしながら、以上の技術によれば、アナログ的手段における男性器の長さ測定しかできず、太さ、形状（圧力）および温湿度等を測定し、そのデータをデジタル的手段に依って性的マッチング等の用途に活用する事ができない。また、女性器に対しても同様の効果を得る事ができない。
【０００５】
そこで、この発明は、第一に上記で例示した各種センサーを具備した男性用自慰用具様器具であり、センサーの働きにより、器具に挿入された男性器の形状、サイズ、硬度、温湿度、加速度等を計測する事ができる。
【０００６】
第二に、上記で例示した各種センサーを具備した女性用自慰用具様器具であり、同様に、器具を挿入した女性器の形状、サイズ、圧迫具合、温湿度、加速度等を計測する事ができる。
【０００７】
第三に、これらの男性用および女性用自慰用具用器具からBluetooth等の転送インターフェースを介しスマートフォンおよびPCをはじめとした情報処理装置へ各センサーデータを転送でき、かつ情報処理装置を介して分析する事ができる。これにより、男性器および女性器の形状その他各種データを取得し、出会い、性交渉、結婚等のマッチングの一要素として活用できる事を課題とする。
【課題を解決するための手段】
【０００８】
以上の課題を解決するために、第一発明は、センサーの働きにより、器具に挿入された男性器の形状、サイズ、硬度、温湿度、加速度等を計測できる、上記で例示した各種センサーを具備した男性用自慰用具様器具である
【０００９】
第二発明は、センサーの働きにより、器具を挿入した女性器の形状、サイズ、圧迫具合、温湿度、加速度等を計測できる、上記で例示した各種センサーを具備した女性用自慰用具様器具である
【００１０】
第三発明は、第一発明および第二発明からBluetooth等の転送インターフェースを介しスマートフォンおよびPCをはじめとした情報処理装置へ転送された各種センサーデータを、情報処理、分析する事ができるシステムである
【発明の効果】
【００１１】
第一発明および第二発明に依れば、圧力センサーにより、その長さ、形状、圧迫具合を測定できる。また、温湿度センサーにより、その温湿度を測定できる。また、加速度センサーにより、オーガズムに至るまでの時間および、挿入および脱出速度を測定できる。これらのデータを第三発明に依り分析、異性間または同性間の性器情報においてマッチングさせる事により、従前のマッチングサービスでは実現できなかった、性の相性による人と人のマッチングが可能となる。これにより、例えば従前のサービスでは充分なマッチング結果を得られなかった、容貌が相対的に醜い人物や、低年収の人物等も、公平なマッチング結果が期待できる。
【図面の簡単な説明】
【００１２】
【図１】第一発明の形容を示す斜視図である。尚、当該図は第一発明形容のひとつの例であり、上記に示した機能および用途、効果を実現できるものであれば、この限りではない。また、図の黒塗り部は圧力センサーの配置模様を便宜的に明示したものであり、実際の製品においては、センサーの配置はこの限りではなく、また、本体に内蔵してセンサーが外観からは見えなくなる事も想定している。
【図２】第一発明の形容を示す横からの断面図である。尚、当該図は第一発明形容のひとつの例であり、上記に示した機能および用途、効果を実現できるものであれば、この限りではない。また、図に示す各種センサーの配置についてもひとつの例であり、この限りではない。
【図３】第二発明の形容を示す斜視図である。尚、当該図は第二発明形容のひとつの例であり、上記に示した機能および用途、効果を実現できるものであれば、この限りではない。また、図の黒塗り部は圧力センサーの配置模様を便宜的に明示したものであり、実際の製品においては、センサーの配置はこの限りではなく、また、本体に内蔵してセンサーが外観からは見えなくなる事も想定している。
【図４】第二発明の形容を示す横からの断面図である。尚、当該図は第一発明形容のひとつの例であり、上記に示した機能および用途、効果を実現できるものであれば、この限りではない。また、図に示す各種センサーの配置についてもひとつの例であり、この限りではない。
【図５】第三発明のシステムを示したフロー図である。尚、フローおよびシステムを構成する各要素においてはひとつの例であり、上記に示した機能および用途、効果を実現できるものであれば、この限りではない。
【発明を実施するための形態】
【００１３】
「実施形態の効果」
この実施形態によれば、第一発明および第二発明における圧力センサーにより、その長さ、形状、圧迫具合を測定できる。また、温湿度センサーにより、その温湿度を測定できる。また、加速度センサーにより、オーガズムに至るまでの時間および、挿入および脱出速度を測定できる。これらのデータを第三発明に依り分析、異性間または同性間の性器情報においてマッチングさせる事により、従前のマッチングサービスでは実現できなかった、性の相性による人と人のマッチングが可能となる。これにより、例えば従前のサービスでは充分なマッチング結果を得られなかった、容貌が相対的に醜い人物や、低年収の人物等も、公平なマッチング結果が期待できる。
「他の実施形態」
図１、図２、図３、図４において、それぞれオナホールおよびディルドーの形状を示しているが、各種性器に関するデータを同様に取得できれば、この形状の限りではない。また、本体を形成する素材に関しても、プラスチック、シリコン、ゴムをはじめとした、男性器を挿入、または女性器に挿入可能な物であれば、明確にその素材を制限するものではない。また、具備するセンサー類に関しても、当発明における必要データ、または性的マッチングにおける必要データを取得できれば、この限りではない。
【００１４】
以下、添付図面を参照しながら本発明の一実施形態を詳細に説明する。図面の説明において、同一又は同等の要素には同一符号を用い、重複する説明を省略する。
【００１５】
図１は第一発明の形容を示す斜視図であり、本体１はプラスチック（PVC等）、シリコン、ゴム（TPR、TPE等）等、男性器を挿入可能な素材であれば特にその素材を制限しない。形状は男性向け自慰用具様（オナホール）であり、挿入口２より男性器を挿入する。３に見られるように、２の内部には複数の圧力センサーを具備する事で、男性器の長さ、太さ、形状等を測定可能となっている。また、図１では便宜的に圧力センサーを明示しているが、本体１の内部に見えない様に具備してもよい。挿入口２に対し４は閉鎖しており、この閉鎖壁内にその他センサーを具備する。ただし、この形態は第一発明の一例であり、閉鎖壁４を設定せずに貫通式とし、本体１の別の位置にその他センサーを具備してもよい。
【００１６】
図２は第一発明の形容を示す、側面断面図である。符号５、６、７は、それぞれ図１における符号３、２、４と対応する。８ａおよび８ｂ、８ｃはその他センサーの具備を例示した物であり、それぞれ加速度センサー、温湿度センサー、Bluetooth等の転送モジュールである。ただし、この形態は第一発明の一例であり、センサーの搭載位置は、その効果を発揮する限り、本体のいずれの場所に設置しても構わない。
【００１７】
図３は第二発明の形容を示す斜視図であり、本体９はプラスチック（PVC等）、シリコン、ゴム（TPR、TPE等）等、人体に挿入可能な素材であれば特にその素材を制限しない。形状は女性向け自慰用具様（ディルドー）であり、挿入先１０より女性器に挿入する。１１に見られるように、９の表層には複数の圧力センサーを具備する事で、女性器の奥行、内圧、形状等を測定可能となっている。また、図９では便宜的に圧力センサーを明示しているが、本体９の内部に見えない様に具備してもよい。
【００１８】
図４は第二発明の形容を示す、側面断面図である。１２ａおよび１２ｂ、１２ｃはその他センサーの具備を例示した物であり、それぞれ加速度センサー、温湿度センサー、Bluetooth等の転送モジュールである。ただし、この形態は第二発明の一例であり、センサーの搭載位置は、その効果を発揮する限り、本体のいずれの場所に設置しても構わない。
【００１９】
図５は、第三発明である、第一発明および第二発明より取得した性器に関するデータを処理し、マッチングを行うシステムのフロー図である。そのフローにおける各状況を、図下部の表に示す。ただし、このフロー図および実施形態は一例であり、性器に関するデータの処理に基づくマッチングを行う事ができれば、この限りではない。
【図１】
2020081182.tif 000003
【図２】
2020081182.tif 000004
【図３】
2020081182.tif 000005
【図４】
2020081182.tif 000006
【図５】
2020081182.tif 000007